(57)【要約】【課題】被覆体を廃棄する度にフィルタ手段を廃棄しなくても良いようにしてフィルタ手段を使用することのできる期間を長期間となるようにし、又、枠体を折り畳んだ状態で容易に搬送し得るようにすると共に狭い保管スペースに保管し得るようにした患者隔離ユニットを提供する。【解決手段】折り畳み可能な枠体２と、組み立てられた枠体２に取り付け得るようにした可燃性樹脂シート製の可撓性被覆体３と、可撓性被覆体３内からの空気を排気するための排気ユニット５を備え、排気ユニット５は、紫外線ランプ及びＨＥＰＡフィルタ並びに送風機を備える。【選択図】　　　　図１
2004141239.tif 000002
【特許請求の範囲】
【請求項１】
折り畳み可能又は／及び解体可能な枠体と、組み立てられた前記枠体に着脱可能に取り付け得るようにした可燃性の可撓性被覆体と、該可撓性被覆体内からの空気を排気するための排気ユニットとを備え、該排気ユニットは、フィルタ手段と、前記排気ユニットの前記フィルタ手段よりも上流側内面に付着した細菌及び前記フィルタ手段に捕捉された細菌を殺菌するための殺菌手段と、細菌の除去された空気を排気するための排気手段とを備えたことを特徴とする患者隔離ユニット。
【請求項２】
可撓性被覆体は有底である請求項１に記載の患者隔離ユニット。
【請求項３】
可撓性被覆体の底部には開口部が設けられている請求項１に記載の患者隔離ユニット。
【請求項４】
殺菌手段は紫外線ランプである請求項１、２又は３に記載の患者隔離ユニット。
【請求項５】
フィルタ手段はＨＥＰＡフィルタである請求項１、２、３又は４に記載の患者隔離ユニット。
【請求項６】
枠体を形成する折り畳み可能な支柱には、当該支柱を折り畳んだ状態で床面に接地可能に車輪が取り付けられている請求項１、２、３、４又は５に記載の患者隔離ユニット。
【発明の詳細な説明】
【０００１】
【発明の属する技術分野】
本発明は結核患者等、伝染性病原体を保有する患者を一時的に隔離して治療を行うための患者隔離ユニットに関するもので、詳しくは、被覆体の使用の終了の度にフィルタ手段を廃棄する必要がなく、且つ、搬送に便利で狭い保管スペースに保管し得るようにした経済的な患者隔離ユニットに関するものである。
【０００２】
【従来の技術】
近年、例えば結核患者からの細菌による院内感染が問題となっており、斯かる伝染性病原体を保有する患者は一時的に隔離して治療することが望ましい場合がある。
【０００３】
このようなことから近年種々の患者隔離ユニットが提案されており、例えば特許文献１、特許文献２に示すごときものがある。
【０００４】
【特許文献１】
特開平７−４６１号公報（第３ページ左欄、段落［００１９］、段落［００２０］、図２）
【特許文献２】
特開平６−７８９５９号公報（図１〜図４）
【０００５】
特許文献１に示す患者隔離ユニットでは、患者が隔離される被覆体は使い捨てであるが、空気の通るフィルタ手段は枠を有し、枠は被覆体のシートの開口部に溶接されている。このため、被覆体を廃棄する際にはフィルタ手段も一緒に廃棄する必要がある。又、ユニットの搬送や保管の便宜については特に考慮は払われていない。
【０００６】
特許文献２では被覆体を吊り下げる枠体は折り畳み可能であるが、折り畳んだ状態での搬送時の便宜については特に考慮は払われていない。
【０００７】
【発明が解決しようとする課題】
特許文献１の場合には、使い捨ての被覆体を廃棄する度にＨＥＰＡフィルタを備えたフィルタ手段をも廃棄しなければならず、コストアップを招来する。又、ユニットは組み立てたまま搬送する必要があるため、取り扱いに不便であり、しかも広い保管スペースを必要とする。
【０００８】
特許文献２の場合には、枠体を折り畳むようにしているため、特許文献１の装置に比べて搬送し易いが、人が枠体を運ぶ場合には持ち上げて搬送しなければならず、不便である。
【０００９】
本発明は、上記実情に鑑み、被覆体を廃棄する度にフィルタ手段を廃棄する必要がないようにしてフィルタ手段を使用することのできる期間が長期間となるようにし、又、枠体の搬送を折り畳んだ状態でしかも容易に搬送し得るようにし、更には保管をも容易に行い得るようにした患者隔離ユニットを提供することを目的としてなしたものである。
【００１０】
【課題を解決するための手段】
請求項１の患者隔離ユニットは、折り畳み可能又は／及び解体可能な枠体と、組み立てられた前記枠体に着脱可能に取り付け得るようにした可燃性の可撓性被覆体と、該可撓性被覆体内からの空気を排気するための排気ユニットとを備え、該排気ユニットは、フィルタ手段と、前記排気ユニットの前記フィルタ手段よりも上流側内面に付着した細菌及び前記フィルタ手段に捕捉された細菌を殺菌するための殺菌手段と、細菌の除去された空気を排気するための排気手段とを備えたものである。
【００１１】
請求項２の患者隔離ユニットにおいては、可撓性被覆体は有底であり、請求項３の患者隔離ユニットにおいては、可撓性被覆体の底部には開口部が設けられており、請求項４の患者隔離ユニットにおいては、殺菌手段は紫外線ランプであり、請求項５の患者隔離ユニットにおいては、フィルタ手段はＨＥＰＡフィルタであり、請求項６の患者隔離ユニットにおいては、枠体を形成する折り畳み可能な支柱には、当該支柱を折り畳んだ状態で床面に接地可能に車輪が取り付けられているものである。
【００１２】
本発明によれば、可撓性被覆体から排気された空気中の細菌はフィルタ手段に捕捉されると共に、排気ユニットのフィルタ手段上流側内面に付着し、殺菌手段により殺菌される。このため、細菌は排気ユニット外に排出される虞がなく、又、可撓性有底被覆体内部は負圧に保持されるため、可撓性被覆体から細菌が外部に漏洩する虞がない。
【００１３】
従って伝染性の病気の治療を安心して行うことができるうえ、フィルタ手段交換時の作業者への菌伝播もなく、安心して作業を行うことができる。
【００１４】
又、排気ユニットに収納されたフィルタ手段に付着した細菌は殺菌可能であるため、使用済みの可撓性被覆体を焼却処分する場合にもフィルタ手段は毎回廃棄する必要がなく、従ってフィルタ手段の使用期間が長期間となり、経済的である。
【００１５】
枠体は折り畳み可能又は／及び解体可能であるため、搬送が容易であるうえ、狭い保管スペースに保管することができ、従って、管理が容易で経済的である。
【００１６】
【発明の実施の形態】
以下、本発明の実施の形態を図示例と共に説明する。
図１〜図３１は本発明を実施する形態の一例である。
図１中、１は患者隔離ユニットで、患者隔離ユニット１は枠体２、枠体２に着脱可能に取り付けた可撓性被覆体３、可撓性被覆体３に排気ダクト４を介し接続した排気ユニット５を備えている。
【００１７】
枠体２はアルミ製で、図２〜図９に示すごとく、高さ方向中間部が繋ぎ部となるよう分割して折り畳めるようにした４本の支柱２ａを備えている。支柱２ａの高さ方向中間部の折り畳み部分には蝶番６が取り付けられており、支柱２ａのうち上方の支柱２ａの下端にはキャスタ式の車輪７が取り付けられている。又、支柱２ａにおける上部の支柱２ａの下端と下部の支柱２ａの上端の折り畳み部には、患者隔離ユニット１の使用時に支柱２ａが屈曲しないよう、屈曲防止手段（図３４参照）が設けられている。
【００１８】
前後の支柱２ａの上端には、右左の支柱２ａを接続するよう、梁部材２ｂが接続されている。又、支柱２ａには蝶番８を介して前後に延在する梁部材２ｃが接続されている。梁部材２ｃは長手方向中間部において、前後に分割されており、その先端分割部は、梁部材２ｂと平行に左右に延在する梁部材２ｄにより接続され、梁部材２ｄには、梁部材２ｃを蝶番８を基準として下方へ折り畳めるよう、蝶番９が接続されている。
【００１９】
各支柱２ａの分割部よりも上方の部分には、左右の支柱２ａを接続するよう、梁部材２ｅが接続されている。
【００２０】
梁部材２ｃには、支柱２ａの上端に近接してブレース部材２ｆの上端が枢着され、ブレース部材２ｆの下端は、図７に示すようにノブ付きのボルト・ナットである締結手段１０により、支柱２ａに固定し得るようになっている。
【００２１】
支柱２ａのうち下方の支柱２ａの下端には、高さ調整手段１１が取り付けられている。この高さ調整手段１１は設けない場合もある。
【００２２】
而して、枠体２を折り畳んだ際には、梁部材２ｃは蝶番８，９を基準に前後２つに屈曲して下方へ延在し、前後の支柱２ａは近接し、ブレース部材２ｆの支柱２ａに対する連結点は、締結手段１０を緩めることにより、支柱２ａに対し下方へスライドし得るようになっている。而して、枠体２は図３、図９に示すようにコンパクトに折り畳まれるようになっている。
【００２３】
可撓性被覆体３は、例えば低密度ポリエチレン等の可燃性樹脂シート製であり、有底で６面体のテント状に形成されており、図１０、図１１に示すように、床面部３ａ、天井部３ｂ、右側壁部３ｃ、左側壁部３ｄ、前面壁部３ｅ、後面壁部３ｆを備えている。各部の接続部は図１２、図１３に示すように、接続部全長に亘り突出したヒレ状体１２が形成されており、空気の漏洩を防止するため、このヒレ状体１２の全長は溶着１３により接続されている。ヒレ状体１２を設けたのは後述の被支持体２０，２５，２７（図２０、図２２、図２３参照）を取り付けたり、被支持体３０係止用の孔１２ａを設けるためである（図２４参照）。床面部３ａはノンスリップ型である。又、可撓性被覆体３は未使用の状態では図１７に示すようにきちんと折り畳まれている。
【００２４】
右側壁部３ｃには、図１１に示すように出入り口１４が形成され、出入り口１４には上縁がヒレ状体１２に溶着された開閉可能なカーテン３ｃ’が吊り下げられている。
【００２５】
可撓性被覆体３の前面壁部３ｅには、前述した排気ダクト４が取り付けられており、後面壁部３ｆには、図１６に示すように吸気口１５が設けられている。吸気口１５には、後面壁部３ｆの外側と内側に配置された外蓋１６と内蓋１７が、吸気口１５を覆い得るよう設けられており、外蓋１６及び内蓋１７の何れも上縁を後面壁部３ｆに溶着若しくはテープ止めにより固定されている。
【００２６】
外蓋１６を開いたときにその状態を保持し得るよう、外蓋１６には片面接着テープ１８が設けられ、外蓋１６を閉じたときに開かないよう、後面壁部３ｆの外側には、吸気口１５の下縁及び左右縁に沿い両面接着テープ１９が設けられている。而して、外蓋１６は患者隔離ユニット１を使用する際に開いて空気を可撓性被覆体３内に導入し、使用後に可撓性被覆体３を縮小させる際には空気が可撓性被覆体３内に流入しないよう閉じ得るようになっている。
【００２７】
内蓋１７は吸気口１５から空気を可撓性被覆体３内に導入する場合には空気を導入し得るが、可撓性被覆体３内に導入された空気は吸気口１５から漏洩しないよう閉じて逆止弁として機能し得るようになっている。
【００２８】
排気ダクト４、外蓋１６、内蓋１７の何れも可撓性被覆体３と同様、低密度ポリエチレン等の可燃性樹脂製である。
【００２９】
可撓性被覆体３としては、図１８に示すように、床面部３ａに開口３ａ’を形成することもできる。この開口３ａ’は、例えば、出入り口１４からベッドを可撓性被覆体３内部に持ち込めない場合に、ベッドを搬入するために用いる。
【００３０】
各部の接続部に形成したヒレ状体１２には、図２０に示すように、長手方向へ一定の間隔でヒレ状体１２の外縁部を跨ぐと共にヒレ状体１２を両側から挟むように色テープのような被支持体２０が固設されており、被支持体２０のヒレ状体１２の外縁部に対向した部分には、紐状体２１が挟み込まれている。被支持体２０と紐状体２１を組み付けた被支持手段の全体形状は図１９に示されている。
【００３１】
枠体２の梁部材２ｂ，２ｃ、支柱２ａには、図２１に示すごとく長手方向へ所定の間隔でフック２２が取り付けられており、フック２２には、無端状のゴム紐２３を介して洗濯鋏状のクリップ２４が取り付けられ、クリップ２４は、ヒレ状体１２に取り付けた被支持体２０の部分を両面から挟持し得るようになっている。
【００３２】
ヒレ状体１２に取り付ける被支持手段としては、図２２に示すように、密接された２枚のヒレ状体１２を挟持するようヒレ状体１２に固設した色テープ等の２枚の被支持体２５を設け、両被支持体２５を紐状体２６により接続するようにすることができ、又、図２３に示すように、密接された２枚のヒレ状体１２を挟持してホック状に嵌り合う２個の被支持体２７を設け、両被支持体２７を紐状体２８により接続するようにすることができる。なお、図２２、図２３においては、可撓性被覆体３を枠体２にセットする場合、紐状体２６，２８を直接図２１に示すフック２２に引っ掛ければ良い。
【００３３】
更に、ヒレ状体１２に取り付ける被支持手段としては、図２４に示すように、２枚のヒレ状体１２の間、或はヒレ状体１２の表面に補強部材２９を固設し、ヒレ状体１２及び補強部材２９に貫通した孔１２ａを開け、この孔１２ａにゴム紐２３に取り付けられたフック状の被支持体３０を係合させるようにすることもできる。なお、図２４の被支持手段においては、可撓性被覆体３を枠体２にセットする場合、ゴム紐２３を図２１のフック２２に引っ掛ければ良い。
【００３４】
排気ユニット５は、図２５に示すように、上端に排気ダクト５ｂが接続され、且つ下端に排気口５ｃが設けられたたケーシング５ａを備え、ケーシング５ａはキャスタ式の車輪５ｄを備えた台車５ｅに搭載されている。ケーシング５ａ内には、上方から下方へ向けて、すなわち、空気流れ方向上流側から下流側へ向けて、殺菌用の紫外線ランプ３１、ＨＥＰＡフィルタ３２、送風機３３が収納されている。ケーシング５ａ、排気ダクト５ｂはステンレス製である。
【００３５】
患者隔離ユニット１の使用時には、可撓性被覆体３の排気ダクト４は、図２６に示すように排気ユニット５の排気ダクト５ｂに外嵌、接続されるようになっており、排気ダクト４先端及び排気ダクト５ｂには、空気の漏洩を防止するため、テープ３４を巻き付け得るようになっている。
【００３６】
而して、送風機３３を駆動することにより、可撓性被覆体３から排気ダクト４，５ｂを経て排気ユニット５内に吸引された空気中の細菌は、ＨＥＰＡフィルタ３２に捕捉されると共に、排気ダクト５ｂ内面やＨＥＰＡフィルタ３２上流側におけるケーシング５ａ内面に付着し、ＨＥＰＡフィルタ３２に捕捉された細菌或は排気ダクト５ｂやケーシング５ａのＨＥＰＡフィルタ３２上流側内面に付着した細菌は、紫外線ランプ３１から照射される紫外線や、ケーシング５ａ内面及び排気ダクト５ｂ内面で反射した紫外線により殺菌されるようになっている。又、ケーシング５ａ下端の排気口５ｃからは殺菌されて清浄になった空気が排気されるようになっている。
【００３７】
排気ダクト５ｂは紫外線ランプ３１から照射された紫外線が均等に反射するよう、ダクト材（例えばＳＵＳ）内面が鏡面仕上げされている。又、患者隔離ユニット１の使用後は、排気ダクト５ｂ内に付着した細菌が外部に飛散しないよう、排気ダクト５ｂ開口端にはキャップを被せ得るようになっている。
【００３８】
次に、上記図示例の作動を説明する。
患者隔離ユニット１を使用する場合には、枠体２、可撓性被覆体３、排気ユニット５、その他の必要な備品を保管場所から所定場所に搬送する。枠体２及び可撓性被覆体３は折り畳まれており、排気ユニット５は小型であるため、保管場所は取らず、又、可撓性被覆体３はそれほど重くなく且つ枠体２は折り畳まれた支柱２ａの下端に車輪７を備えており、排気ユニット５も台車５ｅに車輪５ｄを備えているため、可撓性被覆体３、枠体２、排気ユニット５の保管場所から使用場所までの搬送は容易に行うことができる。
【００３９】
患者隔離ユニット１の使用場所で枠体２を組み立てる場合には、支柱２ａの上部の部分と梁部材２ｃが直角となるよう、前後の梁部材２ｃを蝶番８，９を基準として上部に向け水平に開き、支柱２ａの折り畳まれている部分を蝶番６を基準として立設するよう下方へ開き、更に、上下部の支柱２ａの繋ぎ目に屈曲防止手段を取り付け、締結手段１０を締めてブレース部材２ｆを支柱２ａに対し固定する。
【００４０】
又、図１７に示すように折り畳まれている可撓性被覆体３を開いて枠体２内に設置し、フック２２を位置調整して固定し、例えば、図２１に示すクリップ２４を使用する場合には、クリップ２４により可撓性被覆体３の各部の接続部に設けられているヒレ状体１２に取り付けた被支持体２０を挟持し、フック２２とクリップ２４とにゴム紐２３を掛け渡すことにより、可撓性被覆体３を枠体２に対し吊り下げ或は横方向から支持し、固定する。可撓性被覆体３の内部の広さは内部治療が可能な広さである。
【００４１】
図２２、図２３に示す被支持体２５，２７を使用する場合には、紐状体２６，２８をフック２２に係止させ、図２４に示す被支持体３０を使用する場合には、被支持体３０に取り付けてあるゴム紐２３をフック２２に係止させる。
【００４２】
又、図２６に示すように、可撓性被覆体３の排気ダクト４を排気ユニット５の排気ダクト５ｂに外嵌、固定させ、排気ダクト４及び排気ダクト５ｂの接続部には、空気が漏洩しないよう、テープ３４を巻き付け、固定する。更に、可撓性被覆体３内には出入り口１４から内部にベッド等必要な備品を搬入する。
【００４３】
なお、ベッド等を可撓性被覆体３の出入り口１４から搬送できないような場合には、組み立てた枠体２の下の所定位置にベッドを配置し、図１８に示す可撓性被覆体３を上方から被せ、床面部３ａの開口３ａ’を通してベッドを可撓性被覆体３内へ搬入する。
【００４４】
可撓性被覆体３内に隔離された患者の治療時には、図１４、図１５に示すように外蓋１６が開かれ、排気ユニット５の送風機３３が駆動される。空気は吸気口１５から内蓋１７の周囲の隙間を通って可撓性被覆体３内に流入し、可撓性被覆体３から排気ダクト４へ排気され、排気ユニット５の排気ダクト５ｂを経てケーシング５ａ内に流入する。ケーシング５ａ内に流入した空気中の細菌はＨＥＰＡフィルタ３２により捕捉され、或は、排気ダクト５ｂ内面やケーシング５ａのＨＥＰＡフィルタ３２上流側内面に付着する。
【００４５】
ＨＥＰＡフィルタ３２に捕捉された細菌及び排気ダクト５ｂ内面やケーシング５ａのＨＥＰＡフィルタ３２上流側内面に付着した細菌は、紫外線ランプ３１により照射される紫外線、排気ダクト５ｂ内面やケーシング５ａ内面で反射した紫外線により殺菌される。ＨＥＰＡフィルタ３２を通り清浄になった空気は、送風機３３により排気口５ｃから外部に排出される。従って、可撓性被覆体３から排出される空気に細菌が含まれる虞はない。
【００４６】
更に、可撓性被覆体３内の空気は、送風機３３により吸引、排気されるため、可撓性被覆体３内は陰圧（負圧）に保持され、従って、可撓性被覆体３内の空気が外部に漏洩する虞はない。なお、送風機３３による可撓性被覆体３内の換気回数としては、例えば、約１２回／ｈである。
【００４７】
治療に際しては、細菌は排気ユニット５で殺菌され外部に排出される虞がない。従って、伝染性の病気が可撓性被覆体３から外部へ感染する虞がないため、伝染性の病気の治療を外部に対し安心して行うことができ、院内感染を防止することができる。
【００４８】
治療が終了した場合には、患者隔離ユニット１を解体、撤去するが、この場合の手順については、図２７〜図３１をも参照しつつ説明する。
患者隔離ユニット１を解体、撤去する場合には、排気ユニット５の送風機３３は駆動した状態で可撓性被覆体３内のベッド等の備品を撤去し、図１６に示すごとく外蓋１６を閉じ、外蓋１６を後面壁部３ｆの外側に開口１５の左右縁及び下縁に沿い設けてある両面接着テープ１９に貼着して吸気口１５を目張りすると共に、図２７に示すごとく、カーテン３ｃ’内側の左右、下端縁と可撓性被覆体３の右側壁部３ｃ、床面部３ａを両面接着テープ３５により固設して出入り口１４を目張りする。
【００４９】
次に、排気ユニット５側から離反した側の所定のクリップ２４を可撓性被覆体３のヒレ状体１２に取り付けてある被支持体２０から取り外して、図２８に示すように、可撓性被覆体３の排気ユニット５から離反した側を枠体２から外す。そうすると、排気ユニット５の送風機３３は駆動されているため、可撓性被覆体３内の空気が排気されて可撓性被覆体３は萎む。而して、可撓性被覆体３がある程度萎んだら、排気ユニット５から離反した側から排気ユニット５側へ向かって、順次所定のクリップ２４を可撓性被覆体３のヒレ状体１２に取り付けてある被支持体２０から取り外す（図２９参照）。
【００５０】
このため、送風機３３による排気により可撓性被覆体３は更に萎み、図３０に示すごとく、可撓性被覆体３の前面壁部３ｅのみが吊り下げられている状態になったら、排気ダクト４を排気ダクト５ｂから取り外し、排気ダクト４にテープ３６を巻き付け固定して排気ダクト４を絞り、目張りし、排気ダクト５ｂの開口部にキャップを被せ、排気ユニット５の送風機３３を停止させる。
【００５１】
クリップ２４が全て取り外されると、可撓性被覆体３は床面に略フラットな状態に落下する。そこで、作業者はこの略フラットな状態の可撓性被覆体３を図３１に示すように丸まった形状に畳む。
【００５２】
図１８に示すように床面部３ａに開口３ａ’が設けてある可撓性被覆体３内を排気する場合には、開口３ａ’は特に塞いだりすることなく、外蓋１６（図１６参照）及び出入り口１４のカーテン３ｃ’（図２７参照）を閉じた後、そのままの状態でベッドを開口３ａ’から撤去したうえ、排気ユニット５により排気を行う。この場合、床面部３ａは下部の床に接触しているため、床面部３ａの開口３ａ’は閉じなくとも排気に支障は生じない。
【００５３】
次に、図２、図４、図３１に示す状態で立設している枠体２における支柱２ａの折り畳み部に取り付けられている屈曲防止手段を取り外し、ブレース部材２ｆの支柱２ａに対する係合部を締結している締結手段１０（図７参照）を緩め、支柱２ａの下部の部分を蝶番６を基準として、上部の支柱２ａの内側に位置するよう、上方へ折り畳み、蝶番８，９を支点として梁部材２ｃを、上部の支柱２ａの内側に位置するよう下方へ折り畳む（図３、図８、図９参照）。
【００５４】
空気を抜かれて畳まれた可撓性被覆体３は焼却処分され、折り畳まれた枠体２及び排気ユニット５は搬送されて保管場所に保管される。可撓性被覆体３を焼却処分する場合にも排気ユニット５に装備されているフィルタ手段であるＨＥＰＡフィルタ３２は毎回廃棄する必要がなく、従ってＨＥＰＡフィルタ３２の使用期間が長期間となり、コストダウンを図ることができる。
【００５５】
又、枠体２は車輪７を備え、排気ユニット５は車輪５ｄを備えているため、搬送は容易であり、更に、枠体２は折り畳まれて小型化しており、排気ユニット５は小型であるため、枠体２及び排気ユニット５の保管に広いスペースを必要としない。更に、ＨＥＰＡフィルタ３２は定期的に交換する必要があるが、フィルタ交換時の作業者に菌伝播の虞がなく、安心して作業を行うことができる。なお、組み立て、解体の作業は２人の作業員により約３０分程度で行うことができる。
【００５６】
図３２〜図４７は本発明の患者隔離ユニットに使用する枠体の他の例である。本図示例の枠体４１（前記枠体２に相当）は４本の支柱４１ａと、前後の支柱４１ａを接続するよう前後の支柱４１ａの上端に後述のスリーブ部材４９を介し接続し得るようにした上下２本の梁部材４１ｂ，４１ｃと、左右の支柱４１ａの上端に後述のスリーブ部材４９を介し接続し得るようにした上下２本の梁部材４１ｄ，４１ｅと、左右の支柱４１ａを接続するよう支柱４１ａの高さ方向中間部に接続し得るようにした梁部材４１ｆと、梁部材４１ｂの長手方向中途部に梁部材４１ｄ，４１ｅと平行に接続し得るようにした梁部材４１ｇを備えている。
【００５７】
支柱４１ａは下端に高さ調整手段４２が取り付けられていると共に、高さ方向中間部において分割され、繋ぎ部に取り付けられた蝶番４３を介し折り畳み得るようになっており、支柱４１ａのうち分割された上部の支柱４１ａの下端にはキャスタ式の車輪４４が取り付けられている。なお、高さ調整手段４２は設けない場合もある。
【００５８】
支柱４１ａの分割部には、屈曲防止手段４５が設けられている。屈曲防止手段４５は、図３４、図３５に示すように支柱４１ａの上下の分割部外側二面に当接するアングル型の屈曲防止冶具４５ａと、屈曲防止冶具４５ａを支柱４１ａに対し固定するためのノブ付きのボルト・ナットよりなる締結手段４５ｂを備えている。
【００５９】
而して枠体４１を組み立てた状態では、屈曲防止手段４５の下端は、下部の支柱４１ａに取り付けたストッパ４６に当接しており、折り畳み時に締結手段４５ｂを緩めた場合には、屈曲防止手段４５は支柱４１ａに沿い上昇させられて、折り畳み位置よりも上方に位置させられるようになっている。なお、ストッパ４６を設けるのは、枠体４１の組み立て時に支柱４１ａを立設した際に、屈曲防止手段４５を上下の支柱４１ａの繋ぎ位置に容易且つ迅速にセットし得るようにするためである。
【００６０】
各梁部材４１ｂ，４１ｃの支柱４１ａ近傍及び各梁部材４１ｂ，４１ｃの長手方向中間部には、梁部材４１ｂ，４１ｃを水平方向へ折り畳んで前後の梁部材４１ｄ，４１ｅ、４１ｄ，４１ｅ間に位置させ得るよう蝶番４７，４８が取り付けられている。
【００６１】
梁部材４１ｂ，４１ｃの長手方向両端部及び梁部材４１ｄ，４１ｅの左右両端部は、図３３に示すようにスリーブ部材４９に固着されて一体化されており、梁部材４１ｂ，４１ｃ、梁部材４１ｄ，４１ｅを固設されたスリーブ部材４９は、支柱４１ａ頂部に外嵌されるようになっている。
【００６２】
而して、支柱４１ａの頂部に嵌合されたスリーブ部材４９の上端には、コーナプレート５０が設置され、コーナプレート５０に設けたボルト孔５０ａに挿通されたノブ付きのボルト５１を支柱４１ａの頂部に螺設したねじ孔４１ａ’に螺合することにより、支柱４１ａはコーナプレート５０に固定し得るようになっている。又、コーナプレート５０は、コーナプレート５０に設けたボルト孔５０ｂに挿通させた図示してないボルトにより梁部材４１ｂ，４１ｄに固定し得るようになっている。
【００６３】
なお、５２は梁部材４１ｆを支柱４１ａの分割位置よりも上部に接続するためのボルト、５３は梁部材４１ｇを梁部材４１ｂに接続するためのボルトであり、何れもノブ付きである。
【００６４】
上記枠体４１は使用に際しては、折り畳まれ、解体された状態から組み立てられ、使用後は折り畳まれ、解体されるが、以下折り畳み、解体する場合の手順について説明する。なお、組み立てる場合の手順は折り畳み、解体する場合の手順とは逆である。
【００６５】
すなわち、図３２、図３６に示すように組み立てられている枠体４１を折り畳み、解体する場合には、上下の支柱４１ａの繋ぎ部に取り付けられている屈曲防止手段４５の締結手段４５ｂ（図３４、図３５参照）を緩め、屈曲防止冶具４５ａがストッパ４６に当接している屈曲防止手段４５を、締結手段４５ｂと共に、上方の支柱４１ａ側に繋ぎ部となる分割部が露出する位置まで上昇させ、締結手段４５ｂを締める。
【００６６】
次いで、支柱４１ａの蝶番４３よりも下方の部分を蝶番４３を基準として、図３７、図３８に示すように上部の支柱４１ａの内側に位置するよう折り畳み、折り畳まれた支柱４１ａに取り付けられた鉄板５４を折り畳まれていない側の支柱４１ａに取り付けたマグネット５５に吸着させて、折り畳まれた支柱４１ａが開かないよう図３９に示すように固定する。
【００６７】
又、図３２に示すボルト５３を緩めて梁部材４１ｇを梁部材４１ｂに沿い、梁部材４１ｂの一端側に移動させ、ボルト５３を締めて梁部材４１ｇが動かないよう固定する（図３８参照）。なお、梁部材４１ｇの断面形状は梁部材４１ｂに対し摺動させ易いよう、図３５に示す支柱４１ａと同様な断面形状となっている。
【００６８】
次に、梁部材４１ｂ，４１ｃの長手方向中央側が前後の梁部材４１ｄ，４１ｅ、４１ｄ，４１ｅ間に位置するよう、蝶番４７，４８を基準に梁部材４１ｂ，４１ｃを水平方向へ折り畳み（図４０、図４１、図４２参照）、図３２に示すボルト５１を緩めて梁部材４１ｂ，４１ｃ，４１ｄ，４１ｅに固着されているスリーブ部材４９から支柱４１ａを抜き取り、ボルト５２を外して、梁部材４１ｆを支柱４１ａから取り外す。これで、図４７に示すように枠体４１は７組の部品に解体される。
【００６９】
なお、図４１、図４２、図４３、図４７では、梁部材４１ｂの折り畳まれた部分は、Ｖ形に図示しているが、実際には梁部材４１ｂの折り畳まれた部分は、梁部材４１ｂの折り畳まれていない部分に対し９０度で曲折し、梁部材４１ｂの折り畳まれて向かいあった部分は平行になっている。
【００７０】
使用場所から保管場所へ搬送する場合、或は、保管場所から使用場所まで搬送する場合には、図４１に示すように、各部品は折り畳まれてはいるが分解はされていない状態で、枠体４１を車輪４４を介して移動させる方が良い。
【００７１】
すなわち、枠体４１が図４１のように折り畳まれると、車輪４４が接地可能な位置となるため、枠体４１は容易に搬送することができる。又、保管場所も広いスペースを必要としない。特に、図４７に示すように分解すれば、保管スペースは一層狭くすることができる。
【００７２】
なお、本発明の患者隔離ユニットは上述の形態例に限定されるものではなく、可撓性被覆体にはヒレ状体を設けなくても実施できること、その他、本発明の要旨を逸脱しない範囲内において種々変更を加え得ることは勿論である。
【００７３】
【発明の効果】
以上、説明したように本発明の請求項１〜請求項６に記載の患者隔離ユニットによれば、下記のごとき種々の優れた効果を奏し得る。
Ｉ）可撓性被覆体から排気された空気中の細菌はフィルタ手段に捕捉されて殺菌されると共に、排気ユニットのフィルタ手段上流側内面に付着した細菌も殺菌されるため、細菌は排気ユニット外に排出される虞がなく、又、可撓性被覆体内部は負圧に保持されるため、可撓性被覆体から細菌が外部に排出される虞がない。ＩＩ）従って伝染性の病気の治療を外部に対して安心して行うことができるうえ、フィルタ手段交換時の作業者への菌伝播もなく、安心して作業を行うことができる。
ＩＩＩ）排気ユニットに収納されたフィルタ手段に付着した細菌は殺菌可能であるため、使用済みの可撓性被覆体を焼却処分する場合にもフィルタ手段は毎回廃棄する必要がなく、従ってフィルタ手段の使用期間が長期間となり、経済的である。
ＩＶ）枠体は折り畳み可能又は／及び解体可能であるため、搬送が容易であるうえ、狭い保管スペースに保管することができ、従って、管理が容易であり、経済的である。
【図面の簡単な説明】
【図１】本発明の患者隔離ユニットの実施の形態の一例を示す斜視図である。
【図２】図１に示す患者隔離ユニットに適用する枠体の組み立てた状態を示す斜視図である。
【図３】図１に示す患者隔離ユニットに適用する枠体の折り畳んだ状態を示す斜視図である。
【図４】本発明の患者隔離ユニットに適用する枠体を示す拡大側面図である。
【図５】図４のＶ−Ｖ方向矢視図である。
【図６】図４のＶＩ部を拡大して斜め上方から示す矢視図である。
【図７】図４のＶＩＩ−ＶＩＩ方向矢視図である。
【図８】図４に示す枠体を折り畳む状態を示す側面図である。
【図９】図４に示す枠体が折り畳まれた状態を示す側面図である。
【図１０】図１に示す患者隔離ユニットに適用する可撓性被覆体の斜視図である。
【図１１】図１０に示す可撓性被覆体のカーテンを開いた状態を示す斜視図である。
【図１２】図１０のＸＩＩ方向矢視図で、可撓性被覆体のヒレ状体の部分の詳細図である。
【図１３】図１０のＸＩＩＩ方向矢視図で、可撓性被覆体のヒレ状体の部分の詳細図である。
【図１４】可撓性被覆体の外蓋を開いた状態を示す斜視図である。
【図１５】可撓性被覆体の外蓋を閉止した状態を示す斜視図である。
【図１６】可撓性被覆体の外蓋及び内蓋の部分の拡大断面図である。
【図１７】未使用の可撓性被覆体が折り畳まれた状態を示す斜視図である。
【図１８】図１に示す患者隔離ユニットに適用する可撓性被覆体の他の例の斜視図である。
【図１９】可撓性被覆体のヒレ状体に固設する被支持手段の斜視図である。
【図２０】図１９に示す被支持体をヒレ状体に取り付けた状態の一例を示す斜視図である。
【図２１】可撓性被覆体を枠体に支持させた状態を示す断面図である。
【図２２】被支持体及び被支持体をヒレ状体に取り付けた状態の他の例の斜視図である。
【図２３】被支持体及び被支持体をヒレ状体に取り付けた状態の他の例の斜視図である。
【図２４】被支持体及び被支持体をヒレ状体に取り付けた状態の更に他の例の斜視図である。
【図２５】図１の患者隔離ユニットに適用する排気ユニットの斜視図である。
【図２６】図１に示す患者隔離ユニットにおいて、可撓性被覆体の排気ダクトと排気ユニットの排気ダクトとを繋いだ状態を示す側断面図である。
【図２７】本発明の患者隔離ユニットを分解する手順を示す斜視図で、まだ分解の行われていない状態を示す斜視図である。
【図２８】図２７の患者隔離ユニットにおいて、可撓性被覆体を取り外す状態を示す斜視図である。
【図２９】図２７の患者隔離ユニットにおいて、可撓性被覆体を取り外す状態を示す斜視図であり、図２８の場合よりも可撓性被覆体の取り外し状態が進捗した状態を示す斜視図である。
【図３０】可撓性被覆体を取り外す場合において、排気ダクトが設けられている側以外は可撓性被覆体が取り外されて萎んだ状態を示す斜視図である。
【図３１】可撓性被覆体が完全に取り外されて丸く畳まれた状態を示す斜視図である。
【図３２】本発明の患者隔離ユニットに適用する枠体の他の例を示す斜視図である。
【図３３】図３２に示す枠体の支柱上端部及び支柱上端部に取り付ける部材を分解して示す斜視図である。
【図３４】図３２に示す枠体における支柱の繋ぎ部分に取り付ける屈曲防止手段の斜視図である。
【図３５】図３４のＸＸＸＶ−ＸＸＸＶ方向矢視図である。
【図３６】図３２に示す枠体を解体する場合の手順を説明するための斜視図である。
【図３７】図３６に示す枠体の支柱のうち、下部の部分を折り畳む途中の状態を示す拡大側面図である。
【図３８】図３６に示す枠体の支柱のうち、下部の部分を折り畳み、且つ、上部の梁部材を側部の梁部材の一端側に移動させた状態を示す斜視図である。
【図３９】図３６に示す枠体の支柱のうち、下部の部分を折り畳んで固定した状態を示す拡大側面図である。
【図４０】図３８に示すように下部の支柱を折り畳んだ枠体の左右の梁部材を折り畳む途中の状態を示す斜視図である。
【図４１】下部の支柱及び左右の梁部材を完全に折り畳んだ状態を示す枠体の斜視図である。
【図４２】図４１の枠体の平面図である。
【図４３】枠体の梁部材から支柱を取り外した状態を示す斜視図である。
【図４４】左右の支柱を繋ぐ梁部材を支柱から取り外した状態を示す斜視図である。
【図４５】車輪及び梁部材が取り付けられた支柱の部分の拡大正面図である。
【図４６】図４５の状態からボルトを除去して梁部材を取り外した状態を示す拡大正面図である。
【図４７】上部の梁部材、支柱、左右の支柱を繋いでいた中間部の梁部材を解体した状態を示す斜視図である。
【符号の説明】
１　　患者隔離ユニット
２　　枠体
２ａ　　　　支柱
３　　可撓性被覆体
５　　排気ユニット
７　　車輪
３１　　紫外線ランプ（殺菌手段）
３２　　ＨＥＰＡフィルタ（フィルタ手段）
３３　　送風機（排気手段）
４１　　枠体
４１ａ　　　　　　　　支柱
４４　　車輪
【図１】
2004141239.tif 000003
【図２】
2004141239.tif 000004
【図３】
2004141239.tif 000005
【図４】
2004141239.tif 000006
【図５】
2004141239.tif 000007
【図６】
2004141239.tif 000008
【図７】
2004141239.tif 000009
【図８】
2004141239.tif 000010
【図９】
2004141239.tif 000011
【図１０】
2004141239.tif 000012
【図１１】
2004141239.tif 000013
【図１２】
2004141239.tif 000014
【図１３】
2004141239.tif 000015
【図１４】
2004141239.tif 000016
【図１５】
2004141239.tif 000017
【図１６】
2004141239.tif 000018
【図１７】
2004141239.tif 000019
【図１８】
2004141239.tif 000020
【図１９】
2004141239.tif 000021
【図２０】
2004141239.tif 000022
【図２１】
2004141239.tif 000023
【図２２】
2004141239.tif 000024
【図２３】
2004141239.tif 000025
【図２４】
2004141239.tif 000026
【図２５】
2004141239.tif 000027
【図２６】
2004141239.tif 000028
【図２７】
2004141239.tif 000029
【図２８】
2004141239.tif 000030
【図２９】
2004141239.tif 000031
【図３０】
2004141239.tif 000032
【図３１】
2004141239.tif 000033
【図３２】
2004141239.tif 000034
【図３３】
2004141239.tif 000035
【図３４】
2004141239.tif 000036
【図３５】
2004141239.tif 000037
【図３６】
2004141239.tif 000038
【図３７】
2004141239.tif 000039
【図３８】
2004141239.tif 000040
【図３９】
2004141239.tif 000041
【図４０】
2004141239.tif 000042
【図４１】
2004141239.tif 000043
【図４２】
2004141239.tif 000044
【図４３】
2004141239.tif 000045
【図４４】
2004141239.tif 000046
【図４５】
2004141239.tif 000047
【図４６】
2004141239.tif 000048
【図４７】
2004141239.tif 000049